(57)【要約】【課題】内視鏡本体に対して着脱可能な部品の取り外しを容易に行うことが可能であり、かつ内視鏡の使用時における意図しない分解が生じにくい内視鏡の操作装置を提供する。【解決手段】内視鏡の本体に設けられて外面側に開口する支持体内空間を有する支持体と、開口を通して支持体内空間に挿脱可能で、挿入状態で保持手段によって保持される挿入体と、挿入体に対して、挿脱方向に向く軸線を中心に回転可能に支持され、保持手段によって挿入体が保持される状態で取り外し方向に回転したときに、支持体からの離脱方向への移動力を挿入体に付与して保持手段による保持を解除させる離脱操作部材と、を備える。【選択図】図２
2018148963.tif 000002
【特許請求の範囲】
【請求項１】
内視鏡の本体に設けられ、前記内視鏡の外面側に開口する支持体内空間を有する支持体と、
前記開口を通して前記支持体内空間に挿脱可能で、挿入状態で保持手段によって保持される挿入体と、
前記挿入体に対して、前記挿脱方向に向く軸線を中心に回転可能に支持され、前記保持手段によって前記挿入体が保持される状態で取り外し方向に回転したときに、前記支持体からの離脱方向への移動力を前記挿入体に付与して前記保持手段による保持を解除させる離脱操作部材と、
を備えることを特徴とする内視鏡の操作装置。
【請求項２】
前記挿入体は、前記保持手段によって保持される状態で前記支持体内空間から外方に突出する外方突出部を備え、
前記離脱操作部材は、前記軸線を中心とする径方向で前記外方突出部の外側に位置し、前記外方突出部に対して前記取り外し方向の回転が可能かつ前記挿脱方向の移動が規制されて支持される、請求項１記載の内視鏡の操作装置。
【請求項３】
前記離脱操作部材は前記外方突出部を囲む環状体であり、前記外方突出部と前記離脱操作部材の前記径方向の対向部分に、
前記挿入体に対する前記離脱操作部材の前記回転の範囲を制限する回転範囲制限部と、
前記挿脱方向への前記挿入体と前記離脱操作部材の相対移動を規制する挿脱方向規制部と、
を備えている、請求項２記載の内視鏡の操作装置。
【請求項４】
前記離脱操作部材の外周面に、少なくとも一つの平坦な把持面を備えている、請求項３記載の内視鏡の操作装置。
【請求項５】
前記離脱操作部材と前記支持体の少なくとも一方に、前記回転方向に進むにつれて前記挿脱方向の位置を変化させる離脱案内面を備え、前記離脱案内面を介して前記離脱操作部材と前記支持体が当接し、
前記離脱操作部材が前記取り外し方向に回転すると、前記離脱案内面に沿って前記離脱操作部材と前記支持体の当接位置が変化して前記離脱方向の移動力が生じる、請求項１ないし４のいずれか１項記載の内視鏡の操作装置。
【請求項６】
前記離脱操作部材と前記支持体は、前記挿脱方向で互いに対向する部分を有し、該対向部分に前記離脱案内面が設けられている、請求項５記載の内視鏡の操作装置。
【請求項７】
前記保持手段は、
前記支持体に設けた、前記挿脱方向に延びて前記開口に連通する凹部と、
前記挿入体に設けた、前記軸線を中心とする径方向に突出して前記凹部に嵌まる径方向延設部と、
を備え、
前記凹部の前記挿脱方向の途中位置に、前記挿脱方向への前記径方向延設部の移動に対して抵抗を与える挿脱抵抗付与部を備える、請求項１ないし６のいずれか１項記載の内視鏡の操作装置。
【請求項８】
前記離脱操作部材は、前記取り外し方向の回転を行うときに前記径方向延設部に当接して回転抵抗を受ける回転抵抗付与部を有している、請求項７記載の内視鏡の操作装置。
【請求項９】
前記挿入体は、内部に挿入体内空間を備え、
前記挿入体に前記挿脱方向へ可動に支持され、前記支持体内空間と前記挿入体内空間との間の流体流通を遮断する遮断位置と、流体流通を許す連通位置とに移動する可動弁を有する押圧操作部材を備え、
前記押圧操作部材を前記遮断位置に付勢する付勢手段を備え、
前記押圧操作部材は押圧操作によって前記遮断位置から前記連通位置へ移動する、請求項１ないし８のいずれか１項記載の内視鏡の操作装置。
【請求項１０】
前記支持体内空間に接続する第１の管路と、前記挿入体内空間に接続する第２の管路を備え、前記第１の管路が内視鏡の挿入部に設けた吸引口に接続し、前記第２の管路が吸引源に接続する、請求項９記載の内視鏡の操作装置。
【発明の詳細な説明】
【技術分野】
【０００１】
本発明は、内視鏡の操作装置に関する。
【背景技術】
【０００２】
吸引、送気、送水のような機能を備える内視鏡では、流体の流れをコントロールするための操作装置が設けられる。この種の操作装置は、内視鏡の使用後に流体流通用の管路を洗浄したり、洗浄困難な部品を使用毎に交換させたりするために、内視鏡本体に対して少なくとも一部を着脱可能に構成している場合が多い。
【０００３】
例えば、特許文献１に記載された吸引操作装置は、内視鏡の操作部に固定したシリンダと、シリンダの内部に着脱可能な吸引栓と、吸引栓に挿通されてシリンダ内で昇降可能に支持された操作部材とを備える。吸引源から延びる管路が吸引栓に設けた口金に接続し、内視鏡の挿入部内に配設された管路がシリンダの下端に接続している。操作部材がシリンダ内で昇降することで、吸引栓と操作部材の間が開閉され、シリンダよりも先（内視鏡の挿入部側）へ吸引力が及ぶ状態と吸引力が及ばない状態が切り替えられる。
【０００４】
特許文献１の吸引操作装置では、シリンダの内面に形成した係合溝に対して、吸引栓の外面に形成した凸部を係合させることで、シリンダ内に吸引栓を保持させる。シリンダの上端にはカム溝が設けられ、吸引栓にはカム溝上に支持されるカム部が設けられている。カム部をカム溝に沿って回転させると、吸引栓が徐々に上昇して係合溝から凸部が外れ、シリンダから吸引栓を取り外すことができる。
【先行技術文献】
【特許文献】
【０００５】
【特許文献１】特許第３１４３１６４号公報
【発明の概要】
【発明が解決しようとする課題】
【０００６】
特許文献１の構造では、吸引栓に回転方向の力が加わることで、意図せずにシリンダから吸引栓が外れてしまうおそれがある。特に、吸引源側の管路に接続するための口金が吸引栓の側方に突出し、この口金の基部に前述したカム部が設けられている。そのため、口金や口金に接続する管路を梃子として大きな回転力が吸引栓に作用して、吸引栓が外れるリスクが高いという問題がある。
【０００７】
内視鏡の使用中に吸引栓が外れてしまうと、吸引された汚物や体液が周囲に飛散してしまう。そのため、内視鏡の使用時の取り回しでは吸引栓が外れずに確実に保持され、使用後には簡単に吸引栓を取り外しできることが望まれる。
【０００８】
また、上記のような吸引用の操作装置に限らず、内視鏡の本体に設けた支持体に対して、挿入体（特許文献１の吸引栓に相当するもの）を挿脱可能なタイプの操作装置では、同様の課題がある。
【０００９】
本発明は以上の問題点に鑑みてなされたものであり、内視鏡本体に対して着脱可能な部品の取り外しを容易に行うことが可能であり、かつ内視鏡の使用時における意図しない分解が生じにくい内視鏡の操作装置を提供することを目的とする。
【課題を解決するための手段】
【００１０】
本発明の内視鏡の操作装置は、内視鏡の本体に設けられ、内視鏡の外面側に開口する支持体内空間を有する支持体と、開口を通して支持体内空間に挿脱可能で、挿入状態で保持手段によって保持される挿入体と、挿入体に対して、挿脱方向に向く軸線を中心に回転可能に支持され、保持手段によって挿入体が保持される状態で取り外し方向に回転したときに、支持体からの離脱方向への移動力を挿入体に付与して保持手段による保持を解除させる離脱操作部材と、を備えることを特徴とする。
【００１１】
この構成によれば、離脱操作部材の取り外し方向への回転によって、支持体からの挿入体の離脱を簡単に行わせることができる。また、離脱操作部材を取り外し方向に回転させない状態では保持手段による挿入体の保持が維持されるので、支持体からの挿入体の意図しない離脱を防ぐことができる。
【００１２】
挿入体は、保持手段によって保持される状態で支持体内空間から外方に突出する外方突出部を備えており、離脱操作部材は、軸線を中心とする径方向で外方突出部の外側に位置し、外方突出部に対して、取り外し方向の回転が可能で、挿脱方向の移動が規制されて支持されることが好ましい。
【００１３】
外方突出部を囲む環状体として離脱操作部材を構成し、外方突出部と離脱操作部材の径方向の対向部分に、挿入体に対する離脱操作部材の回転の範囲を制限する回転範囲制限部と、挿脱方向への挿入体と離脱操作部材の相対移動を規制する挿脱方向規制部と、を備えることが好ましい。
【００１４】
環状体である離脱操作部材の外周面に少なくとも一つの平坦な把持面を備えることで、離脱操作部材の回転操作を行いやすくなる。
【００１５】
離脱操作部材に離脱方向の力を付与する構成として、離脱操作部材と支持体の少なくとも一方に、回転方向に進むにつれて挿脱方向の位置を変化させる離脱案内面を備え、離脱案内面を介して離脱操作部材と支持体を当接させる。離脱操作部材が取り外し方向に回転すると、離脱案内面に沿って離脱操作部材と支持体の当接位置が変化して離脱方向の移動力が生じる。このようにして離脱操作部材の動作を行わせるとよい。
【００１６】
離脱操作部材と支持体は、挿脱方向で互いに対向する部分を有し、該対向部分に離脱案内面を設けることが好ましい。
【００１７】
保持手段として、挿脱方向に延びて支持体内空間の開口に連通する凹部を支持体に設け、軸線を中心とする径方向に突出して凹部に嵌まる径方向延設部を挿入体に設け、凹部の挿脱方向の途中位置に、挿脱方向への径方向延設部の移動に対して抵抗を与える挿脱抵抗付与部を備えることが好ましい。
【００１８】
離脱操作部材には、取り外し方向の回転を行うときに径方向延設部に当接して回転抵抗を受ける回転抵抗付与部を設けてもよい。
【００１９】
本発明は、押圧操作によって流体流通を制御するタイプの操作装置に好適である。具体的には、挿入体の内部に挿入体内空間を設け、挿入体に対して挿脱方向へ可動に支持される押圧操作部材を設ける。押圧操作部材は、支持体内空間と挿入体内空間との間の流体流通を遮断する遮断位置と、流体流通を許す連通位置とに移動する可動弁を有し、付勢手段によって遮断位置に付勢される。そして、押圧操作部材が押圧操作によって遮断位置から連通位置へ移動する。
【００２０】
さらに、支持体内空間に接続する第１の管路と、挿入体内空間に接続する第２の管路を備え、第１の管路が挿入部に設けた吸引口に接続し、第２の管路が吸引源に接続することで、内視鏡における吸引操作用の操作装置として適用が可能である。
【発明の効果】
【００２１】
本発明によれば、内視鏡本体に対して着脱可能な部品の取り外しを容易に行うことが可能であり、かつ内視鏡の使用時における意図しない分解が生じにくい内視鏡の操作装置を得ることができる。
【図面の簡単な説明】
【００２２】
【図１】内視鏡を概念的に示す図である。
【図２】本発明の実施形態に係る吸引操作装置でボタンを押圧操作していない状態の断面図である。
【図３】吸引操作装置でボタンを押圧操作した状態を示す断面図である。
【図４】吸引操作装置を構成するボタンユニットをシリンダに組み付ける途中の状態を示す側面図である。
【図５】図４のV-V線に沿う断面図である。
【図６】図４のVI-VI線に沿う断面図である。
【図７】シリンダにボタンユニットが組み付けられた状態の吸引操作装置の側面図であり、（Ａ）は吸引操作装置全体を示し、（Ｂ）はカム機構を模式的に示している。
【図８】シリンダからボタンユニットが取り外される途中の吸引操作装置の側面図であり、（Ａ）は吸引操作装置全体を示し、（Ｂ）はカム機構を模式的に示している。
【図９】ボタンユニットの取り外しの際にスリーブ環を把持する状態を示す斜視図である。
【発明を実施するための形態】
【００２３】
図１に概略構成を示す内視鏡１０は医療分野で用いられるものであり、患者の体内に挿入される細径の挿入部１１と、挿入部１１の基部に接続された操作部１２を有している。可撓性を有する管状体であるユニバーサルチューブ１３が操作部１２から延設され、ユニバーサルチューブ１３の先端にビデオコネクタ１４が設けられている。ビデオコネクタ１４はプロセッサ１５に着脱可能である。
【００２４】
挿入部１１の先端には撮像レンズ系（図示略）と撮像素子（図示略）が設けられている。撮像レンズ系によって観察対象の像を形成して撮像素子で信号化する。この信号は画像信号用ケーブルを介してビデオコネクタ１４に送られ、ビデオコネクタ１４内とプロセッサ１５内に設けた画像処理回路によって処理されて、モニタ（図示略）に画像を表示したり、記録媒体（図示略）に画像データを記録したりすることができる。内視鏡１０とプロセッサ１５はさらに、挿入部１１の先端に設けた配光窓から照明光を配光する照明手段を備えている。
【００２５】
内視鏡１０の内部に吸引管路（第１の管路）１６が配設されている。吸引管路１６は、挿入部１１の先端に設けた吸引口１８と、操作部１２に設けた吸引操作装置１９との間を接続している。内視鏡１０の外部に設けた吸引源２２と吸引操作装置１９との間が吸引管路（第２の管路）２３によって接続されている。
【００２６】
吸引源２２を駆動すると吸引力が生じる。吸引操作装置１９を操作しない状態では、吸引管路１６と吸引管路２３が連通しておらず、吸引管路２３を通じて吸引源２２から吸引操作装置１９までの間だけで吸引力が働き、吸引管路１６には吸引力が及ばない。吸引操作装置１９を操作すると、吸引管路１６と吸引管路２３が連通して、吸引口１８まで吸引力が及ぶようになり、吸引口１８から体液や汚物などを吸引することができる。吸引操作装置１９の具体的な構造については後述する。
【００２７】
操作部１２にはさらに、複数の押しボタンスイッチ２７が設けられている。押しボタンスイッチ２７は、押圧操作に応じて電気的な信号を送って所定の動作（制御）を行わせる操作手段として設けられている。一例として、観察対象の撮影（画像記録）や、モニタ上の画像フリーズなどの操作を、押しボタンスイッチ２７を用いて行うことができる。
【００２８】
図２以下を参照して吸引操作装置１９の詳細を説明する。図２や図３に示すように、吸引操作装置１９は、シリンダ（支持体）３０、バルブ胴体３１、ピストン（押圧操作部材）３２、ボタン（押圧操作部材）３３、圧縮バネ（付勢手段）３４、スリーブ環（離脱操作部材）３５を有している。詳細は後述するが、シリンダ３０は操作部１２に固定的に支持されており、バルブ胴体３１、ピストン３２、ボタン３３、圧縮バネ３４、スリーブ環３５は、シリンダ３０に対して挿脱可能なボタンユニット８０を構成している。
【００２９】
シリンダ３０に対してボタンユニット８０が挿入及び離脱される方向（図２から図５、図７、図８における上下方向）を挿脱方向とする。挿脱方向のうち、図２から図５、図７（Ａ）、図８（Ａ）中に矢線Ｕで示す方向を上方とし、矢線Ｄで示す方向を下方とする。下方がシリンダ３０に対するボタンユニット８０の挿入方向であり、上方がシリンダ３０からのボタンユニット８０の離脱方向である。また、ピストン３２の中心を通り挿脱方向に延びる仮想線を軸線Ｘ（図２、図３）とし、軸線Ｘを基準とした放射方向を径方向とし、軸線Ｘを中心とする周回方向を周方向とする。なお、吸引操作装置１９の向きは内視鏡１０の保持状態によって変化するため、以下の説明において述べる挿脱方向（上方及び下方）は、必ずしも鉛直方向と一致するものではない。
【００３０】
ボタンユニット８０をシリンダ３０に装着（挿入）した状態では、バルブ胴体３１はシリンダ３０に対する相対移動が規制されて保持され、バルブ胴体３１に対してピストン３２とボタン３３が下方へ押圧操作可能に支持される。スリーブ環３５は軸線Ｘ（図２、図３）を中心として回転可能に支持される。
【００３１】
シリンダ３０は、挿脱方向の上側に大径部４０を有し、下側に小径部４１を有している。シリンダ３０の内部に、大径部４０と小径部４１に亘って挿脱方向に貫通するシリンダ内空間（支持体内空間）４２が形成されている。大径部４０の上端は内視鏡１０の外面側に開放される上端開口３０ａ（図４、図５）となっている。小径部４１の下端には、挿脱方向で下方に進むにつれて徐々に径が小さくなる円錐状のテーパ部４１ａが形成されており、テーパ部４１ａの中央から下方に向けて円筒状の管路接続部４３が突出している。シリンダ内空間４２は、テーパ部４１ａと管路接続部４３を除く部分で、略一定の内径サイズの円筒内面で囲まれている。
【００３２】
図５に示すように、大径部４０は小径部４１よりも径方向の肉厚が大きく、大径部４０の外周面は小径部４１の外周面よりも外径方向に突出している。大径部４０と小径部４１の外径サイズの差によって、シリンダ３０の外面に下方を向く段部４４が形成されている。
【００３３】
図４や図５に示すように、大径部４０の周方向の一部に、シリンダ３０を径方向に貫通する側方凹部（保持手段）４５が形成されている。側方凹部４５は、上端部が上端開口３０ａに連通して開放され、この開放部分から挿脱方向に沿って下方に向けて凹設されており、上方から下方に向けて順に、導入部４５ａ、定幅部４５ｂ、幅狭部（挿脱抵抗付与部）４５ｃ、嵌合保持部４５ｄを有している。
【００３４】
図４に示すように、導入部４５ａは、上端開口３０ａに臨む上方から下方に進むにつれて周方向の幅が小さくなる。定幅部４５ｂは周方向の幅が略一定である。幅狭部４５ｃは、定幅部４５ｂよりも周方向に幅狭に絞り込まれた形状である。嵌合保持部４５ｄは、側方凹部４５の底部を構成しており、幅狭部４５ｃに接続する上側の一部分が開かれた円形状になっている。
【００３５】
シリンダ３０にはさらに、ガイドカム４６が設けられている。ガイドカム４６は、大径部４０の上端側に設けた凸型の端面カムであり、周方向に位置を異ならせて３箇所のガイドカム４６が設けられている。図４、図７（Ａ）、図８（Ａ）には、このうち２箇所のガイドカム４６が表されている。図４に示すように、ガイドカム４６は大径部４０の外周面側に形成されており、ガイドカム４６の内径側には大径部４０の一部である内側円筒部４０ａが設けられている。内側円筒部４０ａの内周面は平滑な円筒面であり、ガイドカム４６を形成したことによるシリンダ内空間４２側の凹凸が生じていない。
【００３６】
各ガイドカム４６は、大径部４０の上端側を向く頂面４６ａと、頂面４６ａの周方向の両側に位置する挿脱方向面４６ｂ及び傾斜面（離脱案内面）４６ｃを有している。頂面４６ａは周方向に延びる面であり、挿脱方向への傾き成分を含んでいない。挿脱方向面４６ｂは挿脱方向に延びる面であり、周方向への傾き成分を含んでいない。傾斜面４６ｃは、頂面４６ａから離れて下方に進むにつれて挿脱方向面４６ｂとの間隔を大きくする傾き成分を有している。筒状体であるシリンダ３０を平面状に展開した場合、傾斜面４６ｃは全体に亘って傾斜角が略一定の斜面になる。３つのガイドカム４６のうち１つのガイドカム４６の挿脱方向面４６ｂは、側方凹部４５の定幅部４５ｂの内面と重なる関係にある（図４参照）。
【００３７】
図２、図３、図５に示すように、バルブ胴体３１は、挿脱方向に延びる第１筒状部５０と、第１筒状部５０から径方向に突出する第２筒状部（保持手段、径方向延設部）５１を有している。第１筒状部５０には挿脱方向に貫通する内部空間（挿入体内空間）５２が形成され、第２筒状部５１には径方向に貫通する内部空間（挿入体内空間）５３が形成され、内部空間５３の一端が内部空間５２に連通している。第１筒状部５０の下端には、下方に進むにつれて内径を大きくする円錐状の内面形状を有するテーパ内面５４が形成されている。
【００３８】
図２と図３に示すように、バルブ胴体３１における第１筒状部５０の上端に、シリンダ内空間４２の内径よりも径が大きい外方突出部５６が設けられている。外方突出部５６の上面には、上方に向けて開放された環状のバネ支持溝５７が、内部空間５２を囲む位置に形成されている。外方突出部５６の外周面には、外径側を向く嵌合凹部（挿脱方向規制部）５８（図２、図３、図５参照）と、外径方向へ突出する回転規制突起（回転範囲制限部）５９（図２、図３、図５、図６参照）が形成されている。
【００３９】
図４、図７（Ａ）、図８（Ａ）に示すように、バルブ胴体３１における第２筒状部５１は内部空間５３を囲む円筒状の断面形状を有している。図２と図３に示すように、第２筒状部５１の先端には吸引源接続口６０が設けられている。
【００４０】
図２、図３、図５に示すように、ピストン３２は、挿脱方向に延びる円柱状の軸部６１と、軸部６１の上端に設けた頭部６２と、軸部６１の途中に設けた環状のフランジ部６３と、軸部６１の下端に設けた可動弁６４を有している。頭部６２は軸部６１よりも大径であり、フランジ部６３は頭部６２よりも大径である。可動弁６４は、下方に進むにつれて外径を大きくする円錐状の外面形状を有している。
【００４１】
図２、図３、図５に示すように、ボタン３３は、円筒状の中心部６５と、中心部６５の上端から外径方向に広がる上壁部６６と、上壁部６６の周縁から下方に延びて中心部６５を囲む外周壁部６７を有している。中心部６５の下端には、内径方向に突出する抜け止め部６５ａが形成されている。
【００４２】
図２、図３、図５、図６に示すように、スリーブ環３５は、バルブ胴体３１の外方突出部５６を囲む環状体である。図４、図６から図９に示すように、スリーブ環３５の外周部分には、周方向に位置を異ならせて、３つの把持面７０ａ、７０ｂ、７０ｃと湾曲面７０ｄが設けられている（図６参照）。湾曲面７０ｄは、軸線Ｘ（図２、図３）を中心とする円筒面の一部である。各把持面７０ａ、７０ｂ、７０ｃは、湾曲面７０ｄよりも平坦な形状の面（平面、あるいは湾曲面７０ｄに比して曲率が極めて小さい凸面や凹面）である。スリーブ環３５はさらに、把持面７０ａと湾曲面７０ｄの間に位置する厚肉部７１を有している。厚肉部７１は、各把持面７０ａ、７０ｂ、７０ｃや湾曲面７０ｄよりも外径方向への突出量が大きい（図６参照）。
【００４３】
スリーブ環３５の厚肉部７１の下端には下方突起（回転抵抗付与部）７２が突設されている（図４、図７（Ａ）参照）。下方突起７２は、下方に向けて凸となる半円状の形状を有している。スリーブ環３５の内周面には、周方向へ延びる回転範囲制限溝（回転範囲制限部）７３（図６参照）と、内径方向へ突出する嵌合突起（挿脱方向規制部）７４（図２、図３、図５参照）が設けられている。図６に示すように、回転範囲制限溝７３は、湾曲面７０ｄが形成されている周方向領域に沿って形成されており、回転範囲制限溝７３の一方の端部７３ａが厚肉部７１の内径側に位置し、他方の端部７３ｂが湾曲面７０ｄの内径側に位置している。
【００４４】
図４に示すように、スリーブ環３５にはさらに、ガイドカム７５が設けられている。ガイドカム７５は、スリーブ環３５の下端部に設けた凹状の端面カムであり、周方向に位置を異ならせて３箇所のガイドカム７５が設けられている。図４、図７（Ａ）、図８（Ａ）には、このうち２箇所のガイドカム７５が表されている。
【００４５】
各ガイドカム７５は、スリーブ環３５の下端側を向く頂面７５ａと、頂面７５ａの周方向の両側に位置する挿脱方向面７５ｂ及び傾斜面（離脱案内面）７５ｃを有している。頂面７５ａは周方向に延びる面であり、挿脱方向への傾き成分を含んでいない。挿脱方向面７５ｂは、挿脱方向に延びる面であり、周方向への傾き成分を含んでいない。傾斜面７５ｃは、頂面７５ａから離れて下方に進むにつれて挿脱方向面７５ｂとの間隔を大きくする傾斜成分を有している。環状体であるスリーブ環３５を平面状に展開した場合、傾斜面７５ｃは全体に亘って傾斜角が略一定の斜面になる。
【００４６】
図７（Ａ）と図７（Ｂ）に示すように、スリーブ環３５に設けた各ガイドカム７５と、シリンダ３０に設けた各ガイドカム４６は、互いに嵌合する凹凸形状になっている。より詳しくは、互いの頂面４６ａ、７５ａの長さ、互いの挿脱方向面４６ｂ、７５ｂの長さ、互いの傾斜面４６ｃ、７５ｃの傾斜角と長さがそれぞれ略一致している。
【００４７】
以上の吸引操作装置１９の構成要素のうち、シリンダ３０はバルブ胴体３１とスリーブ環３５よりも剛性の高い材質で形成されている。具体的には、シリンダ３０を金属製とし、バルブ胴体３１とスリーブ環３５はポリエチレンやポリプロピレンのような樹脂材料で形成することができる。
【００４８】
吸引操作装置１９の組み立てについて説明する。図４と図５に示すように、吸引操作装置１９は、内視鏡１０の本体部分に対して固定的に支持されるシリンダ３０と、シリンダ３０に対して挿脱可能なボタンユニット８０に大きく分けられる。吸引操作装置１９の組み立ての際は、バルブ胴体３１、ピストン３２、ボタン３３、圧縮バネ３４及びスリーブ環３５を組み合わせてボタンユニット８０を形成し、シリンダ３０に対してボタンユニット８０を挿入する。
【００４９】
シリンダ３０は、内視鏡１０の操作部１２に固定される。操作部１２には図示を省略するシリンダ挿入開口が形成されており、シリンダ挿入開口にシリンダ３０を挿入する。シリンダ３０は小径部４１の全体と大径部４０の途中までが操作部１２内に埋入され、シリンダ挿入開口内に形成した段部に対して段部４４が当接することで、シリンダ３０の挿入が規制される。具体的には、大径部４０のうちガイドカム４６の形成箇所よりも上方（図４に一点鎖線で示す埋入境界ラインＬ１よりも上方）の部分が操作部１２の外面上に露出する。操作部１２には、シリンダ挿入開口に隣接する位置に、側方へ向く開放部８１が形成されている（図９参照）。シリンダ３０は、開放部８１側に側方凹部４５が向くように位置が定められる。開放部８１は、図４に示す埋入境界ラインＬ１よりも下方の領域まで開放されており、側方凹部４５の全体を露出させる深さに形成されている。そして、所定の固定手段（ネジや接着など）によって、操作部１２に対してシリンダ３０を固定する。
【００５０】
操作部１２内では、シリンダ３０の管路接続部４３に吸引管路１６（図１）が接続する。管路接続部４３への吸引管路１６の接続は、操作部１２にシリンダ３０を挿入する前の段階で行うことが可能である。
【００５１】
ボタンユニット８０を形成する際には、バルブ胴体３１における第１筒状部５０の外方突出部５６の外側にスリーブ環３５が取り付けられる。外方突出部５６に対してスリーブ環３５を上方から下方に向けて挿入すると、嵌合突起７４が嵌合凹部５８に嵌合して、バルブ胴体３１に対してスリーブ環３５が挿脱方向に移動規制される（図２、図３、図５参照）。図４に示すように、この状態では、挿脱方向でスリーブ環３５の下端部が第２筒状部５１の上部に隣接する位置にある。
【００５２】
続いて、バルブ胴体３１の第１筒状部５０の内部空間５２にピストン３２を挿入し、バネ支持溝５７に圧縮バネ３４を挿入する。さらに、図５に示すように、ピストン３２の頭部６２をボタン３３の中心部６５内に挿入する。この挿入によって、ピストン３２とボタン３３は径方向への相対移動が規制される。また、抜け止め部６５ａが頭部６２とフランジ部６３の間の溝状部分に嵌合して、ピストン３２とボタン３３は挿脱方向への相対移動が規制される。つまり、ピストン３２とボタン３３が一体化される。さらに、必要に応じてピストン３２とボタン３３を接着剤などで固定する。
【００５３】
ピストン３２とボタン３３を結合させると、圧縮バネ３４の上端部がボタン３３の上壁部６６に当接し、上壁部６６の下面とバネ支持溝５７の底面の間に圧縮バネ３４が保持される（図５参照）。圧縮バネ３４は、バネ支持溝５７の内側の筒状部と中心部６５とを囲むことにより、座屈を生じずに挿脱方向に伸縮可能に支持される。圧縮バネ３４は、バルブ胴体３１に対してピストン３２とボタン３３を上方に向けて付勢し、この付勢力によって可動弁６４がテーパ内面５４に当接する（図５参照）。テーパ内面５４に当接する可動弁６４の位置を遮断位置とし、テーパ内面５４から下方に離れる可動弁６４の位置を連通位置とする。スリーブ環３５は、ボタン３３の外周壁部６７と共に圧縮バネ３４の外径側に位置して、外部への圧縮バネ３４の露出を防ぐ（図２、図３、図５参照）。
【００５４】
以上のようにボタンユニット８０を組んだ状態で、スリーブ環３５は、外方突出部５６の外周面に対して、軸線Ｘ（図２、図３）を中心として回転可能に支持される。図６に示すように、外方突出部５６の外側にスリーブ環３５を取り付けると、回転範囲制限溝７３内に回転規制突起５９が進入する。回転範囲制限溝７３の一方の端部７３ａと他方の端部７３ｂに回転規制突起５９が当接するまでの範囲で、スリーブ環３５の回転が可能である。
【００５５】
図６は、回転範囲制限溝７３のうち厚肉部７１の内径側に位置する端部７３ａに対して、回転規制突起５９が隣接する状態を示している。スリーブ環３５は、この図６に示す位置で外方突出部５６に組み付けられる。このとき、図４に示すように、厚肉部７１と第２筒状部５１が挿脱方向に並んで位置し、厚肉部７１から下方に突出する下方突起７２が、第２筒状部５１に近接する周方向位置にある。
【００５６】
図６の状態から、端部７３ｂに回転規制突起５９を接近させる方向（図６と図７（Ｂ）に矢線Ｆ１で示す取り外し方向）にスリーブ環３５を回転させようとすると、下方突起７２が第２筒状部５１に当接して回転に対する抵抗が作用する。すなわち、バルブ胴体３１に対してスリーブ環３５を、図４及び図６に示す周方向の位置関係で取り付けると、挿脱方向の移動が規制された段階（嵌合突起７４が嵌合凹部５８に嵌合した段階）で、バルブ胴体３１に対するスリーブ環３５の回転にも抵抗が加わる状態になり、各部材の位置関係が安定した状態のボタンユニット８０になる。バルブ胴体３１の第２筒状部５１とスリーブ環３５の厚肉部７１を指標として位置合わせすることで、この適切なスリーブ環３５の取り付け位置を容易に識別することができる。
【００５７】
図４と図５に示すように、側方凹部４５に対して第２筒状部５１と厚肉部７１の周方向位置を一致させた状態で、シリンダ３０に対してボタンユニット８０を挿入する。ボタンユニット８０は、バルブ胴体３１の第１筒状部５０のうち外方突出部５６と反対側の端部を先頭にして、シリンダ３０の上端開口３０ａから下方に向けて挿入される。第１筒状部５０は、外方突出部５６よりも下方の部分の外径サイズが、シリンダ内空間４２の内径サイズよりも僅かに大きい。そのため、第１筒状部５０はシリンダ内空間４２の内部へ所定の負荷を伴って圧入され、シリンダ内空間４２と第１筒状部５０の間が密封される。なお、第１筒状部５０の外周面（図２から図５に表れている第１筒状部５０の下端付近の環状の溝部分など）に、弾性材からなるＯリングを取り付けて、Ｏリングを介してシリンダ内空間４２との間を密封する構成を採用してもよい。
【００５８】
シリンダ３０に対してボタンユニット８０を所定量挿入すると、第２筒状部５１が側方凹部４５に進入する。側方凹部４５における導入部４５ａの開口幅は第２筒状部５１の外径サイズよりも大きく、シリンダ３０とボタンユニット８０が周方向に多少位置ずれしていても、導入部４５ａによって第２筒状部５１を案内して、側方凹部４５内へ第２筒状部５１を導くことができる。定幅部４５ｂの開口幅は第２筒状部５１の外径サイズと略同じであり、第２筒状部５１は定幅部４５ｂに沿って下方に進む。幅狭部４５ｃの開口幅は第２筒状部５１の外径サイズよりも小さく、第２筒状部５１が幅狭部４５ｃまで達すると下方へ挿入に対する抵抗が加わる。この抵抗に抗する力を付与して挿入を継続すると、シリンダ３０よりも剛性の低い材質からなる第２筒状部５１が、縮径方向に弾性変形ながら幅狭部４５ｃを通過する。定幅部４５ｂから幅狭部４５ｃにかけての側方凹部４５の内面は、第２筒状部５１の外周面に沿うテーパ形状になっているため、縮径方向への第２筒状部５１の弾性変形をスムーズに生じさせることができる。
【００５９】
第１筒状部５０は、外方突出部５６よりも下方の部分がシリンダ内空間４２に挿入可能であり、外方突出部５６がシリンダ３０の上端に当て付く位置（図２、図３参照）でシリンダ内空間４２への挿入が規制される。この状態で、外方突出部５６はシリンダ内空間４２から上方に突出している。
【００６０】
第２筒状部５１は、挿入時の抵抗に抗して幅狭部４５ｃを通過すると、図７（Ａ）に示すように嵌合保持部４５ｄ内に嵌合する。嵌合保持部４５ｄは、第２筒状部５１の外周面に沿う内面形状を有するため、第２筒状部５１は嵌合保持部４５ｄ内に安定した状態で嵌合する。周方向や下方への第２筒状部５１の移動は、嵌合保持部４５ｄの内面によって規制される。また、嵌合保持部４５ｄの上方の開口部分に幅狭部４５ｃが設けられているため、嵌合保持部４５ｄから上方への第２筒状部５１の離脱に対して抵抗が加わる。
【００６１】
第２筒状部５１が嵌合保持部４５ｄに嵌合するまでシリンダ３０に対してボタンユニット８０を挿入すると、図７（Ａ）と図７（Ｂ）に示すように、ボタンユニット８０側に設けた３つのガイドカム７５がそれぞれ、シリンダ３０側に設けた３つのガイドカム４６に嵌合する。より詳しくは、頂面７５ａが頂面４６ａに対面し、挿脱方向面７５ｂが挿脱方向面４６ｂに対面し、傾斜面７５ｃが傾斜面４６ｃに対面する。このように、バルブ胴体３１の第２筒状部５１とスリーブ環３５の厚肉部７１は、各ガイドカム４６と各ガイドカム７５を嵌合させるための位置指標としても機能する。図７（Ａ）と図７（Ｂ）に示す段階で、シリンダ３０へのボタンユニット８０の組み付けが完了する。この状態で、ボタン３３とスリーブ環３５は埋入境界ラインＬ１（図４）よりも上方に位置しており、外部から操作可能な状態にある。
【００６２】
図７（Ａ）の組み付け完了状態では、側方凹部４５（嵌合保持部４５ｄ）の内面に対する第２筒状部５１の当接によって、バルブ胴体３１の回転が規制される。また、ガイドカム４６、７５の挿脱方向面４６ｂ、７５ｂの当接（図７参照）や、回転範囲制限溝７３の端部７３ａと回転規制突起５９の当接（図６参照）によって、取り外し方向Ｆ１（図６、図７（Ｂ））と反対方向へのスリーブ環３５の回転が規制される。さらに、下方突起７２と第２筒状部５１の当接によって、取り外し方向Ｆ１へのスリーブ環３５の回転に対する抵抗が付与される。従って、ボタンユニット８０のうち、バルブ胴体３１はシリンダ３０に対して正逆いずれの回転も規制され、スリーブ環３５は、取り外し方向Ｆ１への回転に抵抗が加わった状態になる。
【００６３】
図７（Ａ）の組み付け完了状態における吸引操作装置１９の内部構造を図２に示す。吸引操作装置１９内では、シリンダ内空間４２と内部空間５２によって挿脱方向への流路が形成され、内部空間５３によって径方向への流路が形成されている。
【００６４】
ボタンユニット８０をシリンダ３０に組み付けた状態で、第２筒状部５１が側方凹部４５（嵌合保持部４５ｄ）と開放部８１を通して操作部１２の側方に突出する（図９参照）。具体的な図示を省略するが、吸引源接続口６０（図２、図３）には吸引管路２３（図１）が接続し、吸引管路２３を通じて吸引源２２の吸引力を内部空間５３に及ぼすことができる。
【００６５】
ピストン３２及びボタン３３を押圧操作していないとき、吸引操作装置１９は図２及び図７（Ａ）に示す状態にある。この状態では、圧縮バネ３４の付勢力を受けたピストン３２及びボタン３３が上方への突出量を大きくしており、圧縮バネ３４の付勢力によって、可動弁６４がテーパ内面５４に押し付けられた遮断位置に保持される。この遮断位置にある可動弁６４によって、シリンダ内空間４２と内部空間５２の間の流体流通が遮断されている。一方、ボタン３３の外周壁部６７とスリーブ環３５の間や、ピストン３２の軸部６１と第１筒状部５０の内周面との間には、リーク用の隙間が形成されており、内部空間５３に働く吸引力によって、リーク用の隙間から外気が吸引される。
【００６６】
図３に示すように、圧縮バネ３４の付勢力に抗して、ピストン３２及びボタン３３を下方に向けて押圧操作すると、可動弁６４が、テーパ内面５４に当接する遮断位置からテーパ内面５４に対して下方に離間する連通位置に移動して、シリンダ内空間４２と内部空間５２の間が連通して流体流通可能になる。一方、ピストン３２のフランジ部６３が内部空間５２の上端近くを塞ぎ、ボタン３３とスリーブ環３５の隙間から内部空間５２への外気の流入が遮断される。従って、吸引源２２の吸引力が、内部空間５３、内部空間５２、シリンダ内空間４２及び管路接続部４３を経て吸引管路１６に及ぶようになり、吸引口１８からの吸引を行うことができる。
【００６７】
ピストン３２及びボタン３３に対する押圧を解除すると、圧縮バネ３４の付勢力によって上方に移動して、可動弁６４がテーパ内面５４に当接する遮断位置（図２）に戻る。これにより、吸引源２２からの吸引力が吸引管路１６及び吸引口１８に及ばなくなる。
【００６８】
吸引操作装置１９では、内視鏡１０の使用後にボタンユニット８０を取り外して、シリンダ３０と吸引管路１６の洗浄や、ボタンユニット８０の交換を行うことができる。ボタンユニット８０の取り外しは、スリーブ環３５を図６と図７（Ａ）に示す取り外し方向Ｆ１に回転させて行う。
【００６９】
図９に示すように、スリーブ環３５の回転操作は、把持面７０ａ、７０ｂ、７０ｃを指で把持して行うことができる。内視鏡１０において、操作部１２に対して挿入部１１が延びる方向を前方、その反対方向を後方としたとき、先に述べたボタンユニット８０の組み付け状態では、把持面７０ｂが概ね前方を向き、湾曲面７０ｄが概ね後方を向く。また、把持面７０ａと把持面７０ｃが操作部の側方を向き、厚肉部７１は斜め後方に向く。そのため、図９のように操作部１２の両側から２本の指（親指と人差し指）でスリーブ環３５を把持しようとした場合、把持面７０ａと把持面７０ｃが指で触れやすい位置にある。さらに、３本の指で把持したり、手の角度を変えたりする場合などに、前方の把持面７０ｂに指をかけてもよい。平面または平面に近い平坦形状である把持面７０ａ、７０ｂ、７０ｃを把持することで、スリーブ環３５に効率良く回転力を伝えることができ、優れた操作性が得られる。
【００７０】
一方、図１や図９に示すように、吸引操作装置１９の後方には押しボタンスイッチ２７が配されており、後方からのスリーブ環３５へのアクセスは押しボタンスイッチ２７による制約を受けやすい。これに応じて、スリーブ環３５のうち後方を向く側は、把持性向上のための平坦形状ではなく湾曲面７０ｄが選択されている。図６に示すように、湾曲面７０ｄの内径側には回転範囲制限溝７３が形成されており、この領域の外面を湾曲面７０ｄにすることで、回転範囲制限溝７３の形成領域でも肉厚が不足せず、スリーブ環３５の強度を確保できる。
【００７１】
先に述べたように、スリーブ環３５を取り外し方向Ｆ１に回転させようとすると、下方突起７２と第２筒状部５１の当接により抵抗を受ける。この抵抗に抗して取り外し方向Ｆ１に所定以上の力を加えると、第２筒状部５１の外周面に下方突起７２を乗り上げさせながら、スリーブ環３５が回転を開始する。
【００７２】
取り外し方向Ｆ１へのスリーブ環３５の回転により、図８（Ａ）と図８（Ｂ）に示すように、ガイドカム７５の傾斜面７５ｃがガイドカム４６の傾斜面４６ｃに対する当接位置を変化させる。傾斜面４６ｃと傾斜面７５ｃはそれぞれ、取り外し方向Ｆ１に進むにつれて上方（離脱方向）に位置を変化させる傾斜形状を有しているため、シリンダ３０に対してスリーブ環３５が取り外し方向Ｆ１に回転しながら上方に移動する。
【００７３】
シリンダ３０のガイドカム４６とスリーブ環３５のガイドカム７５はそれぞれ、周方向に位置を異ならせて３つ設けられている。また、各ガイドカム７６と各ガイドカム７５は、互いに略平行な傾斜面４６ｃと傾斜面７５ｃの摺接によって上方への力を生じさせる。そのため、スリーブ環３５の回転操作時に、傾きを生じずに高い安定性で効率良く上方に移動させることができる。
【００７４】
嵌合凹部５８と嵌合突起７４の嵌合関係によって、バルブ胴体３１がスリーブ環３５と共に上方へ移動する。また、バルブ胴体３１に伴ってピストン３２及びボタン３３も上方へ移動する。すなわち、ボタンユニット８０全体が上方へ移動する。バルブ胴体３１の上方への移動は、第２筒状部５１が幅狭部４５ｃに当接して抵抗を受ける。この抵抗に抗して取り外し方向Ｆ１へのスリーブ環３５の回転を継続すると、図８（Ａ）に示すように、シリンダ３０よりも剛性の低い材質からなる第２筒状部５１が縮径方向に弾性変形しながら幅狭部４５ｃを通過する。第２筒状部５１が幅狭部４５ｃを完全に通過して定幅部４５ｂ内に入ると、第２筒状部５１に対する移動抵抗が小さくなり、シリンダ３０の上端開口３０ａを通してボタンユニット８０を上方へ引き抜くことができる。
【００７５】
以上のようにしてボタンユニット８０を取り外すことで、吸引管路１６やシリンダ３０の内部を容易に洗浄することができる。ボタンユニット８０において、スリーブ環３５は、シリンダ３０から突出する外方突出部５６の外側に支持されている。また、ボタンユニット８０の離脱方向（上方）にスリーブ環３５を移動させるためのガイドカム４６は、シリンダ３０の上端部分に設けた端面カムである。従って、スリーブ環３５を設けた影響でシリンダ３０の内周面に凹凸が形成されることはなく、シリンダ３０の内側は洗浄しやすい平滑な形状になっている（図２、図３、図５参照）。
【００７６】
本実施の形態のボタンユニット８０は、使用毎に交換されるタイプである。シリンダ３０から取り外したボタンユニット８０は廃棄され、吸引管路１６やシリンダ３０の洗浄後に、新たなボタンユニット８０をシリンダ３０に取り付ける。
【００７７】
以上のように、本実施の形態の吸引操作装置１９では、吸引用の流路を構成するバルブ胴体３１は、回転を規制した状態でシリンダ３０に支持されており、バルブ胴体３１とは別に設けたスリーブ環３５を回転操作することで、バルブ胴体３１を含むボタンユニット８０の取り外しを行う。スリーブ環３５は、バルブ胴体３１の外方突出部５６を囲む環状体であり、バルブ胴体３１の第２筒状部５１や吸引源接続口６０のように径方向へ長く突出する部分を有していない。また、スリーブ環３５は、吸引管路２３のような外部装置に接続しておらず、内視鏡１０の取り回し時に外部から強い力が加わるおそれがない。従って、スリーブ環３５が意図せずに取り外し方向Ｆ１に回転することがなく、内視鏡１０の使用時においてボタンユニット８０の組み付け状態を確実に維持させることができる。
【００７８】
また、スリーブ環３５自体も、下方突起７２と第２筒状部５１の当接によって取り外し方向Ｆ１への回転に抵抗を受けるように構成されているので、スリーブ環３５の意図しない回転操作を防ぎ、ボタンユニット８０の組み付け状態をより確実に維持させることができる。
【００７９】
スリーブ環３５は、シリンダ３０から突出する外方突出部５６の外側に支持されており、挿脱方向に対向する端面カム（ガイドカム４６、７５）を介してシリンダ３０と当接している。そのため、先に述べたように、シリンダ３０の内側にはスリーブ環３５の支持や移動案内に関わる要素が設けられておらず、シリンダ内空間４２の内周面を平滑な形状にすることができる。シリンダ内空間４２の内周面が平滑形状であると、汚物の付着が生じにくく、洗浄作業を行いやすいという利点がある。
【００８０】
以上、図示実施形態に基づいて説明したが、本発明は特定の実施形態に限定されるものではない。本発明は、内視鏡の本体に設けられる支持体（実施形態のシリンダ３０に相当）と、支持体に挿脱可能で挿入状態で保持される挿入体（実施形態のバルブ胴体３１に相当）を備え、離脱操作部材（実施形態のスリーブ環３５に相当）の回転操作によって、挿入体の保持を解除して支持体から離脱させるという基本構成を有するものであればよく、細部の構造や適用する装置の種類については任意に選択可能である。
【００８１】
例えば、上記の実施形態は吸引操作装置１９に適用したものであるが、送気送水用の操作装置を適用対象とすることも可能である。送気送水用の操作装置は、吸引操作装置１９のバルブ胴体３１とピストン３２の関係のように、外部からの押圧操作によって開閉状態が変化する弁構造を有しており、この弁構造を構成する部材の装着と取り外しに、上記実施形態のような構成を用いることができる。
【００８２】
より詳しくは、送気送水用の操作装置は、内視鏡の操作部に支持されるシリンダに対して押圧操作可能な送気送水ボタンを有する。内視鏡内には、挿入部の先端に設けたノズルとシリンダを接続する送気送水管路と、送気総水源とシリンダを接続する送気管路及び送水管路とが配設される。送気送水ボタンにはリーク穴が形成され、送気送水ボタンに触れない（リーク穴を塞がない）状態では、送気送水源から送気管路を経てシリンダに送られた空気がリーク穴から外部に抜ける。送気送水ボタンのリーク穴を指などで塞ぐと送気送水管路に送気され、ノズルから空気を噴出させることができる。また、送気送水ボタンを押し込まない状態では、送水管路から送気送水管路への送水が遮断され、送気送水ボタンを押し込むと、送水管路と送気送水管路が連通してノズルから水を噴出させることができる。ノズルは、撮像レンズ系の最前部に設けた対物窓や、照明手段の最前部に設けた配光窓に向いており、ノズルから洗浄水を噴出させて対物窓や配光窓を洗浄し、洗浄後にノズルから空気を噴出させて対物窓や配光窓から水滴を除去することができる。このような送気送水系を構成する送気送水用の操作装置において、送気送水ボタンを含むボタンユニットをシリンダから取り外すための構成として、本発明を適用することも可能である。
【００８３】
また、吸引操作装置１９や送気送水操作装置のような、押圧操作によって流体の流通状態を変化させるタイプの操作装置以外にも、本発明を適用することができる。
【００８４】
上記の実施形態では、スリーブ環３５の回転から離脱方向の力を生じさせる機構として、挿脱方向に対向する端面カムであるガイドカム４６とガイドカム７５を用いている。これと異なり、スリーブ環３５の内周面とシリンダ３０（特に大径部４０）の外周面の間に設けた周面カムを用いて、スリーブ環３５の回転から離脱方向の力を生じさせることなども可能である。周面カムを用いるために、シリンダ３０の大径部４０の外径側にスリーブ環３５を位置させると、スリーブ環３５の径が上記実施形態よりも大きくなってしまう可能性があるが、シリンダ内空間４２の内周面を平滑形状に保つことができるという点では、上記の実施形態と同様の効果が得られる。
【００８５】
また、上記の実施形態では、シリンダ３０側のガイドカム４６とスリーブ環３５側のガイドカム７５が互いに平行な関係の傾斜面４６ｃ、７５ｃを有しているが、シリンダ３０とスリーブ環３５の一方のみに傾斜面を設け、他方には傾斜面に当接する凸形状のカムフォロアを設けることも可能である。
【００８６】
また、上記の実施形態の傾斜面４６ｃ、７５ｃは、スリーブ環３５の単位回転量に対する離脱方向の移動量が一定となる形状であるが、スリーブ環３５の回転位置に応じて離脱方向の移動量が変化する非線形のカム面形状に設定することも可能である。一例として、スリーブ環３５に対する回転抵抗が大きい段階では、スリーブ環３５の単位回転量に対する離脱方向の移動量を小さく抑え、回転抵抗が小さい段階では、スリーブ環３５の単位回転量に対する離脱方向の移動量を大きくさせるようなカム面形状にしてもよい。これにより、スリーブ環３５の回転位置の違いによる操作負荷の差が小さくなる。
【００８７】
上記の実施形態は、シリンダ３０に対してバルブ胴体３１を保持させる保持手段として、バルブ胴体３１から径方向に突出する第２筒状部５１と、シリンダ３０の一部に凹設した側方凹部４５を用いているが、これとは異なる構成で挿入体の保持を行うことも可能である。
【符号の説明】
【００８８】
１０    内視鏡
１１    挿入部
１２    操作部
１３    ユニバーサルチューブ
１４    ビデオコネクタ
１５    プロセッサ
１６    吸引管路（第１の管路）
１８    吸引口
１９    吸引操作装置
２２    吸引源
２３    吸引管路（第２の管路）
２７    押しボタンスイッチ
３０    シリンダ（支持体）
３０ａ  上端開口
３１    バルブ胴体
３２    ピストン（押圧操作部材）
３３    ボタン（押圧操作部材）
３４    圧縮バネ（付勢手段）
３５    スリーブ環（離脱操作部材）
４０    大径部
４０ａ  内側円筒部
４１    小径部
４１ａ  テーパ部
４２    シリンダ内空間（支持体内空間）
４３    管路接続部
４４    段部
４５    側方凹部（保持手段）
４５ａ  導入部
４５ｂ  定幅部
４５ｃ  幅狭部（挿脱抵抗付与部）
４５ｄ  嵌合保持部
４６    ガイドカム
４６ａ  頂面
４６ｂ  挿脱方向面
４６ｃ  傾斜面（離脱案内面）
５０    第１筒状部
５１    第２筒状部（保持手段、径方向延設部）
５２    内部空間（挿入体内空間）
５３    内部空間（挿入体内空間）
５４    テーパ内面
５６    外方突出部
５７    バネ支持溝
５８    嵌合凹部（挿脱方向規制部）
５９    回転規制突起（回転範囲制限部）
６０    吸引源接続口
６１    軸部
６２    頭部
６３    フランジ部
６４    可動弁
６５    中心部
６５ａ  抜け止め部
６６    上壁部
６７    外周壁部
７０ａ  把持面
７０ｂ  把持面
７０ｃ  把持面
７０ｄ  湾曲面
７１    厚肉部
７２    下方突起（回転抵抗付与部）
７３    回転範囲制限溝（回転範囲制限部）
７４    嵌合突起（挿脱方向規制部）
７５    ガイドカム
７５ａ  頂面
７５ｂ  挿脱方向面
７５ｃ  傾斜面（離脱案内面）
８０    ボタンユニット
８１    開放部
【図１】
2018148963.tif 000003
【図２】
2018148963.tif 000004
【図３】
2018148963.tif 000005
【図４】
2018148963.tif 000006
【図５】
2018148963.tif 000007
【図６】
2018148963.tif 000008
【図７】
2018148963.tif 000009
【図８】
2018148963.tif 000010
【図９】
2018148963.tif 000011